(57)【要約】【目的】  構造が簡単で、袋体に残留する酸素濃度を極めて小さくして被包装物を包装できるガス充填包装法、ガス充填包装機及びガス充填包装装置を提供すること。【構成】  本発明のガス充填包装法は、以下の工程からなる。（１）底部及び両側部が封止され上部が開口した袋体１１へ被包装物１４を袋詰する工程、（２）前記袋体１１の底部付近までガス充填用ノズル２１の先端部２１ａを挿入する工程、（３）前記ガス充填用ノズル２１から所定量の不活性ガスを前記袋体１１内へ噴射する工程、（４）前記袋体から前記ガス充填用ノズル２１を引抜き前記袋体１１の開口部を封止する工程。【選択図】      図１
2005001765.tif 000002
【特許請求の範囲】
【請求項１】
次の各工程からなるガス充填包装法。
（１）底部及び両側部が封止され上部が開口した袋体へ被包装物を袋詰する工程、
（２）前記袋体の底部付近までガス充填用ノズルの先端部を挿入する工程、
（３）前記ガス充填用ノズルから所定量の不活性ガスを前記袋体内へ噴射する工程、
（４）前記袋体から前記ガス充填用ノズルを引き抜き前記袋体の開口部を封止する工程。
【請求項２】
前記工程（４）は、前記袋体の底部から前記ガス充填用ノズルを引上げる際に、前記袋体開口部を閉じて仮止めし、仮止めを行った状態で前記ガス充填用ノズルを前記開口部から引き抜き前記袋体の開口部を封止することを特徴とする請求項１記載のガス充填包装法。
【請求項３】
次の各工程からなるガス充填包装法。
（１’）底部及び両側部が封止され上部が開口した袋体へ被包装物を袋詰する工程、
（２’）前記袋体の底部付近までガス充填用ノズルの先端部を挿入する工程、
（３’）前記ガス充填用ノズルから所定量の不活性ガスを前記袋体内へ噴射したのちに、前記不活性ガスを噴射させながら前記袋体から前記ガス充填ノズルを引き抜く工程、
（４’）前記袋体から前記ガス充填用ノズルを引き抜き前記袋体の開口部を封止する工程。
【請求項４】
前記工程（４’）は、前記袋体の底部から前記ガス充填用ノズルを引上げる際に、前記袋体開口部を閉じて仮止めし、仮止めを行った状態で前記ガス充填用ノズルを前記開口部から引き抜き前記袋体の開口部を封止することを特徴とする請求項３記載のガス充填包装法。
【請求項５】
ガス供給管に連結され所定径の管体からなるガス充填ノズルと、前記ガス充填ノズルから噴射されるガス量を調整する制御部を備えたガス充填機において、前記ガス充填ノズルは、底部及び両側部が封止され上部が開口した袋体の底部付近へ届く長さを有していることを特徴とするガス充填機。
【請求項６】
前記ガス充填ノズルは、所定の方向へ移動可能な可動体に連結されていることを特徴とする請求項５記載のガス充填機。
【請求項７】
前記ガス充填ノズルは、前記ガス供給管又は前記可動体に着脱自在に固定されていることを特徴とする請求項６記載のガス充填機。
【請求項８】
前記ガス充填ノズルは、前記可動体に下方へ垂下した状態で固定されかつ上下動し得ることを特徴とする請求項６又は７記載のガス充填機。
【請求項９】
前記ガス充填ノズルは、複数本のノズルからなり、該複数本のノズルはそれぞれ異なる位置に設けられていることを特徴とする請求項５〜８の何れか１項記載のガス充填機。
【請求項１０】
袋体の袋口を封止するシール機と、ガス充填機とを備えたガス充填包装装置において、前記ガス充填機として前記請求項５〜９の何れか１項に記載のガス充填機を用い、前記ガス充填機は、前記シール機に着脱自在に装着されていることを特徴とするガス充填包装装置。
【発明の詳細な説明】
【技術分野】
【０００１】
本発明は、ガス充填包装法、並びにガス充填機及びガス充填包装装置に係り、特に、包装袋内の残存酸素濃度を極めて低くできるガス充填包装法、並びにガス充填機及びガス充填包装装置に関する。
【背景技術】
【０００２】
菓子、ナッツ、削り節、コーヒー、ペットフード、日本茶等は、消費者のニーズに合わせ手頃なサイズの包装袋に詰められてコンビニエンスストア、スーパーマーケット等で多量に販売されている。
しかし、包装袋の袋口が封止されていても、袋詰め作業の際に袋内に空気が残留したまま封止されてしまうと、空気中の酸素により内容物が酸化して品質が劣化してしまう。この酸化のスピードは、残存する空気量（酸素濃度）が多ければ多いほど速くなり、経時変化に伴う品質劣化以上に内容物に悪影響を及ぼす。例えば、菓子、ナッツ、削り節、コーヒー等に含まれる油脂、ビタミン、色素、香気などは、空気中の酸素によって影響を受け易く、また、カビ、害虫も酸素の存在によってその生命が維持されている。
したがって、油脂成分の酸化防止、ビタミン類など有効成分の保存、香気成分の酸化による異臭・変臭の防止、色素の酸化による変色・退色の防止、カビ・好気性菌、酵母による腐敗・発酵阻止、害虫の防止等は、袋詰めの際の残存酸素濃度を小さくすれば、阻止等できるものである。
【０００３】
この残存酸素濃度を小さくするために袋口のシール時に前もって袋体内の空気を強制的に追い出し、代わって不活性ガスを封入する種々のガス充填包装機が考案されている。
例えば、予め成形された通気性のない袋体に被包装物を袋詰めし、この袋体内を脱気した後に不活性ガスを充填して、袋体内の空気と置換した後に袋口を熱シールするガス充填包装機である。この包装機は、基本的には手作業で行う簡易タイプである。
また、予め成形された通気性のない袋体に被包装物を袋詰めし、ガス充填ノズル等から不活性ガスを袋口に向かって吹きかけ、袋体内の空気と置換した後に袋口を熱シールする作業を自動で連続して行える給袋自動包装機（ロータリー型）と、熱接着性プラスチックフィルム包装材料を使って製袋する行程中に包装対象品を充填し、ガス充填ノズル等から不活性ガスを開放口に向かって吹きかけ、袋体内の空気と置換したのちに袋口を熱シールし、切断を自動にて連続して行える製袋自動充填機（縦型、横型）である。
【０００４】
毎日、同じ商品を大量生産する現場においては、通常、高速で生産性が高い自動包装機が多く使用されている。この自動包装機は、ガスを吹き付けるだけなので、カステラのような多孔質な内容品の場合は残存酸素濃度が高くなるが、包装条件によっては酸素濃度を０．５％以下にすることができる。しかし、機械設備自体が大掛かりで、高価になるので、小規模ユーザには適していない。
【０００５】
簡易タイプの包装機は、多品種小ロット生産のユーザ向けに開発、販売され、多く使用されている。このタイプには、大別して２つのタイプ、すなわちノズル式とチャンバー式が知られている。
【０００６】
ノズル式タイプは、ガスを噴出するノズルに袋体を差し込み、スポンジ状のもので袋口を押さえて脱気し、弁の操作により不活性ガスを送り込み、ノズルを抜いた瞬間に密封する。このタイプは、不活性ガスは袋体内に送り込む量だけでよいのでガス消費量は少なくて済む。
このタイプに属する脱気兼ガス充填装置が特許文献で紹介されている。（例えば、特許文献１参照。）。
【０００７】
この特許文献に記載されているガス充填装置は、真空ポンプとガスボンベとに配管を通じて連通しているノズルをノズル取付部材の前端に装着していると共に、このノズル取付部材を移動フレームに前後動自在に支持させ、ノズルを前方に突出させた状態でノズルに袋の口部を挿入させ、この状態で移動フレームを挟持ベルト側に移動させることにより、袋の口部と共にノズルを挟持ベルトで挟持させながら袋内の脱気と袋内へのガスの充填を行い、しかる後、袋の口部をシールする一方、ノズルを後退させてその後退姿勢を維持しながら元の位置まで移動させ、元の位置で前方に突出させて次の作業に待機させるものである。
【０００８】
【特許文献１】特開平２００２−１９７２８号（図１、請求項１）
【０００９】
また、チャンバー式タイプは、チャンバー（密封式容器）の中に数個の袋をセットし、チャンバー内部全体を脱気した後、そのままの状態で不活性ガスを送り込んでシールするものであり、脱気時、ガス封入時ともに袋内外は同圧であり、フィルムが内容物に密着することはない。
一般的には、複数の袋体開口にノズルを差し込み、ガスが十分に袋体内に送り込まれるようにする。チャンバー内全体を真空にするのでガス充填率は非常によく、酸素濃度０．１％以下にまで低下させることができる。
【発明の開示】
【発明が解決しようとする課題】
【００１０】
上記のガス充填包装機の中で、特に多品種小ロット生産のユーザには、包装品の種類を変更した際に、その包装品に合った条件にするための変更操作を誰にでも簡単で短時間の内に行うことができる簡易タイプが多く使用されている。しかし、その反面、いくつかの問題も抱えている。
例えば、ノズル式タイプは、被包装物が潰れて変形しやすいカステラ等、或いは壊れたり割れやすい柿の種等の場合、それらの形や美観を維持した状態で、ガス充填率を高めようとしても、思うように脱気することが出来ない。すなわち、袋体内の空気を追い出すことが出来ないまま不活性ガスを充填することになるので、残存酸素濃度を低下させることができず、包装品ごとの残存酸素濃度のバラツキも大きい。
【００１１】
かかる欠点を解消するものとして、脱気・吸引とガス封入を同時に行うガスを循環させる包装機が知られている。この包装機は、袋体内の空気を吸引しながら同時にガスを充填するもので、脱気吸引量とガス充填量が同じになるように制御部で調整すれば、包装袋及び被包装物を潰すことはない。しかし、脱気・吸引とガス充填が同時に行われるため、被包装物が粉状、粒状、棒状等の軽量な小片の物、例えばお茶などの場合には、吹き込んだガスによって内容物が浮遊して、脱気吸引ノズルから掃除機の様に浮遊した内容物を真空の配管に吸い込んでしまい、脱気ノズルが詰まり、脱気力が弱まり、または機械的にも悪影響を及ぼし故障の原因となる。また、せっかくガスノズルから袋体の中に充填したガスも脱気ノズルから強制的に吸引されてしまうので、ガスの消費量が多くなってしまう。
【００１２】
また、被包装物が固く、尖がった物、例えばピーナッツなどの場合では、脱気時に成形袋に穴を開けてしまう（ピンホール）ことがある。そうすると、その穴から外気が流入し、被包装物の酸化が生じてしまう。
それを避けるためには、やはり脱気を弱くするほかなく、回避方法としては、例えば、脱気を弱く調整して、脱気、不活性ガス充填を何回か繰り返して行い残存酸素濃度を低くしなければならないので、そうなると、作業効率は、非常に悪くなってしまう。
【００１３】
また、ノズル式タイプでは、脱気の工程で袋体が真空状態になり包装袋が潰れてしまい包装品の美観を損ね、また、出来上がった包装品の袋体の膨らみ加減、残存酸素濃度のバラツキが多々発生していた。
これは制御部が同じ設定に調整されていても、脱気の吸い込み口、充填ノズルの噴射口に内容物や袋が障害になった場合、または、内容物の形や、被包装物が詰め込まれた状態（密集度）などの影響をうけ易くそれがバラツキの原因にもなっていた。
また、チャンバー式包装機は、チャンバー内部全体を脱気した後、そのままの状態で不活性ガスを送り込みシールするのであるから、脱気時、ガス封入時ともに袋内外は同圧であり、フィルムが被包装物に密着することはなく、すなわち包装品の美観を損なうことなく、ノズル式でのデメリットをカバーできる。しかし、その反面生産スピードは遅くガスの消費量も多いことから、自動包装機にチャンバー式包装機を組み込み、連動したものが多く使用されている。
しかし、上記の連動した包装機は多品種小ロット生産のユーザ向けである簡易タイプというよりも、自動包装機の分類になり、設備自体が大がかりなものになってしまい価格も高価なものとなっている。
【００１４】
上記ガス充填包装機のうち、簡易タイプのものは、袋内の残存酸素濃度が低いとは言い難いものばかりであって、この残存酸素濃度値では被包装物の品質劣化は進み、近年の顧客ニーズには対応できず、残存酸素濃度値の更なる低減ができるガス充填包装機の出現が期待されている。
また、これまでのガス充填包装機は、大掛かりな装置で構成され高価なものが主流を占めており、小規模な小売販売店、例えば日本茶の販売店等では、経済的に大きな負担となって購入が躊躇され、安価なガス充填包装機が要望されている。
これらの状況を踏まえ、本発明者は、この種のガス充填包装機の開発・販売に永年かかわって、開発を進めてきたところ、簡単な方法で残存酸素濃度値をこれまで不可能とされていた値まで低減できるガス充填法を見出し、本発明を完成するに至ったものである。
【００１５】
そこで、本発明の第１の目的は、袋体に残存する酸素濃度を極めて小さくして被包装物を包装できるガス充填包装法を提供することにある。
【００１６】
本発明の第２の目的は、被包装物が袋詰めされた袋体内へガスを効率よく簡単に充填できるガス充填機を提供することにある。
【００１７】
本発明の第３の目的は、袋体に残存する酸素濃度を極めて小さくして被包装物を包装できる安価なガス充填包装装置を提供することにある。
【課題を解決するための手段】
【００１８】
上記目的は、以下の手段によって達成できる。すなわち、本発明の請求項１に係るガス充填包装法は、以下の工程からなる。
（１）底部が封止され、かつ上部が開口した袋体へ被包装物を袋詰めする工程、
（２）前記袋体の底部付近までガス充填用ノズルの先端部を挿入する工程、
（３）前記ガス充填用ノズルから所定量の不活性ガスを前記袋体内へ噴射する工程、
（４）前記袋体から前記ガス充填用ノズルを引抜き前記袋体の開口部を封止する工程。
【００１９】
また、本願の請求項２記載の発明は、請求項１のガス充填包装法に係り、前記工程（４）は、前記袋体の底部から前記ガス充填用ノズルを引上げる際に、前記袋体開口部を閉じて仮止めし、仮止めを行った状態で前記ガス充填用ノズルを前記開口部から引き抜き前記袋体の開口部を封止することを特徴とする。
【００２０】
本発明の請求項３に係るガス充填包装法は、次の各工程からなる。
（１’）底部及び両側部が封止され上部が開口した袋体へ被包装物を袋詰めする工程、
（２’）前記袋体の底部付近までガス充填用ノズルの先端部を挿入する工程、
（３’）前記ガス充填用ノズルから所定量の不活性ガスを前記袋体内へ噴射したのちに、前記不活性ガスを噴射させながら前記袋体から前記ガス充填ノズルを引き抜く工程、
（４’）前記袋体から前記ガス充填用ノズルを引き抜き前記袋体の開口部を封止する工程。
【００２１】
また、本願の請求項４記載の発明は、請求項３のガス充填包装法に係り、前記工程（４’）は、前記袋体の底部から前記ガス充填用ノズルを引上げる際に、前記袋体開口部を閉じて仮止めし、仮止めを行った状態で前記ガス充填用ノズルを前記開口部から引き抜き前記袋体の開口部を封止することを特徴とする。
【００２２】
本発明の請求項５に係るガス充填機は、ガス供給管に連結され所定径の管体からなるガス充填ノズルと、前記ガス充填ノズルから噴射されるガス量を調整する制御部を備えたガス充填機において、前記ガス充填ノズルは、底部が封止され上部が開口した袋体の底部付近へ届く長さを有していることを特徴とする。
【００２３】
また、本願の請求項６記載の発明は、請求項５のガス充填機に係り、前記ガス充填ノズルは、所定の方向へ移動可能な可動体に連結されていることを特徴とする。
【００２４】
また、本願の請求項７記載の発明は、請求項６のガス充填機に係り、前記ガス充填ノズルは、前記ガス供給管又は前記可動体に着脱自在に固定されていることを特徴とする。
【００２５】
また、本願の請求項８記載の発明は、請求項６又は７のガス充填機に係り、前記ガス充填ノズルは、前記可動体に下方へ垂下した状態で固定されかつ上下動し得ることを特徴とする。
【００２６】
また、本願の請求項９記載の発明は、請求項５〜８の何れか１項のガス充填機に係り、前記ガス充填ノズルは、複数本のノズルからなり、該複数本のノズルはそれぞれ異なる位置に設けられていることを特徴とする。
【００２７】
本発明の請求項１０に係るガス充填包装装置は、袋体の袋口を封止するシール機と、ガス充填機とを備えたガス充填包装装置において、前記ガス充填機として前記請求項５〜９の何れか１項に記載のガス充填機を用い、前記ガス充填機は、前記シール機に着脱自在に装着されていることを特徴とする。
【発明の効果】
【００２８】
請求項１のガス充填包装法によれば、長尺なノズルを袋体に詰め込まれた被包装物内へ差し込み、袋体の底部付近まで挿入して、袋詰めされた内容物の底部からガスを封入し、内容物の周囲及び内容物間の空気を窒素ガスによって追い出して、袋体の開口部から外へ放出するので、袋体内の残存酸素濃度を極めて小さく、例えば１％以下にすることができる。被包装物は、菓子、ナッツ、削り節、コーヒー、ペットフード、日本茶等の乾燥した食品類だけでなく、工業製品、例えば半導体チップ、精密部品等でもよい。
【００２９】
また、袋体の片サイドの底部附近から噴射された窒素ガスは、袋体の上部開口に向かって移動する。その際に、袋体の内部に存在する空気は、このガス噴射にともなって、袋体開口へ向かって上へ上へと押し上げられ、まんべんなく、理想の循環流が形成される。すなわち、窒素ガスは、袋体のサイド、底部、更には内容物と内容物の狭い隙間空間等を循環し、彷徨いながら袋体の開口部へ向かって、結果的に、一番効率の良い流路が窒素ガス自身によって自然に形成されて、開口部から外へ放出されることになる。また、従来技術のガスフラッシュ法（内容物の上部で噴射する方法）に比べて、袋体の外部へ放出される窒素ガスも減少できる。
【００３０】
請求項２に記載のガス充填包装法によれば、ガス噴射ノズルを引き抜く際に、仮止めを行う事により、外気が包装袋内に浸入することを妨げるようになるため、より置換効率の良いガス充填を行うことができる。
【００３１】
請求項３に記載のガス充填包装法によれば、上記請求項１の効果に加え、被包装物が比較的大きく、被包装物の間に大きな隙間が生じるものを包装する際にも、ガス充填ノズルの引上げの間もガスを噴射し続けることにより、外気の浸入を妨げ、より置換効率の良いガス充填を行うことができる。
【００３２】
請求項４に記載のガス充填包装法によれば、ガス噴射ノズルを引き抜く際に、仮止めを行う事により、外気が包装袋内に浸入することを妨げるようになるため、より置換効率の良いガス充填を行うことができる。
【００３３】
請求項５に記載のガス充填機によれば、袋体の底部付近からガスを噴射させることできる。また、袋体の大きさによって、充填ノズルを最適なものに簡単に交換することができる。袋体の底部附近から所定の圧力で窒素ガスを充填すると、当然、質量が軽い内容物はもとより、その他の内容物もその一部が袋体内から吹き飛ばされて外部へ飛散してしまうことがあるが、充填ノズルの角度を所定の角度にすることにより解消できる。すなわち、袋体の上部開口が開放している状態では、底部附近に存在する内容物に対して一番重さが掛けられる角度は垂直方向であることから、袋体の底部附近から、窒素ガスを噴射させると、袋体の底部周辺の内容物に圧力がかかったとしても、上部方面からの内容物の重さにより吹き飛ばされることがなくなる。
【００３４】
請求項６に記載のガス充填機によれば、ガス充填ノズルが所定の方向へ移動可能な可動体に連結されることにより、より容易にガス充填包装が行えるようになる。
【００３５】
請求項７に記載の発明によれば、ガス充填ノズルが着脱自在に固定されていることにより、包装体に応じて管体の径及び長さの異なるものに簡単に交換可能であり、より汎用性が向上する。
【００３６】
請求項８に記載のガス充填機によれば、ガス充填ノズルが下方に垂下していることにより、ガスの充填を行う際に、包装体の内容物が飛び出しにくくなり、より簡単にガス充填を行うことができるようになる。
【００３７】
請求項９に記載のガス充填機によれば、複数本のガス充填ノズルからなることから、ガス充填に要する時間をより短縮でき、効率的なガス充填を行うことができるようになるだけでなく、大型の包装体であっても良好なガス置換を行うことができる。
【００３８】
請求項１０に記載のガス充填包装装置によれば、袋体の上部がすべて開放した状態で袋の底部付近からガスを噴射させているので、このガス圧で、空気を袋体の底部から袋の上部開口部へ追い出してしまう。したがって、従来技術のように、空気を抜いてから、ガスを充填する方法の真空という工程を省くことができるので、価格が高価な真空ポンプ、真空用ノズルその他部品などは不要となる。
【発明を実施するための最良の形態】
【００３９】
次に、本発明の具体例を添付図面を参照しながら説明する。なお、本発明は、図面の記載されたものに限定されるものではない。
【実施例】
【００４０】
図１及び図２は、第１のガス充填包装法における工程を示した説明図である。ちなみにここでは包装物として袋体を使って説明しているが、使用できる包装物は袋体のみならず他の容器、缶、箱体等においても使用できることは当業者にとり自明であろう。
【００４１】
ガス充填機２０は、所定径の管体からなるガス充填ノズル２１と、このガス充填ノズル２１から噴射されるガス量を制御する制御部を備え、ガス充填ノズル２１は、ホースによりガスを貯蔵したボンベに連結されている。なお、この図では、ボンベ及び制御部は省略されている。
ボンベ内には、圧縮した窒素ガスが貯蔵されている。この窒素ガスは、体積比で空気中にほぼ７８％を占め、無味・無臭・無色の殆ど反応性のない不活性ガスであって、従来からガス充填包装法に多く使用されているものである。このガスは、無害・無毒であるが、静菌作用はなく、窒素ガス単体ではカビ、腐敗防止効果は低いものでもある。
【００４２】
ここでは、封入するガスとして窒素ガスを使用するが、その他の不活性ガス、例えば炭酸ガス等も使用することができ、また使用用途によっては酸素ガスも使用することができる。また、被包装物は、菓子、ナッツ、削り節、コーヒー、ペットフード、日本茶等の乾燥した食品類だけでなく、工業製品、例えば半導体チップ、精密部品等でもよい。更に具体的な例として、下の表１は種々の食品毎に使用するガスの種類及びそれを行う目的を示したものである。
【００４３】
【表１】
2005001765.tif 000003
【００４４】
包装袋１０は、底部１２ａが封止され上部が開口した袋体１１からなり、コートフィルムなどのガスバリヤー性に優れたプラスチックフィルムで形成された袋体を使用する。
【００４５】
このガス充填包装は、以下の手順で包装袋へガスが充填されて被包装物の包装が行われる。
先ず、包装袋１０の袋体１１内に被包装物１４、例えば乾燥した日本茶、ピーナッツ等を開口部１３から所定量袋詰めする。（図１（ａ）参照）。
次いで、被包装物１４が詰まった袋体１１を長尺なガス充填ノズル２１の下方へ移動し、袋体１１の開口部１３にガス充填ノズル２１を挿入し、充填ノズル２１の先端部２１ａが袋体１１の底部１２ａ付近に到達するところにまで袋体１１を持ち上げる。この際に、袋詰めした内容物でガス充填ノズルの吹き出し口の穴が塞がれないように、袋体１１の片サイドに挿入することが好ましい。また、ガス充填ノズル先端２１ａと袋体の底部１２ａとを１ｃｍ程度離しておくことが好ましい。これはガス充填ノズル先端が、袋体底部１２ａへ接近し過ぎると、ガス充填ノズル先端が袋体の底部１２ａで塞がれて安定したガス封入が出来なくなるからである。ちなみに、ガス充填機２０は電源が入った状態で移動体２３を下部に移動させ、それに伴いガス充填ノズル２１も下方に突出した状態で待機状態を保つようになされている。
【００４６】
ガス充填ノズル２１の位置決め完了後、ボンベに充填されている窒素ガスを所定量袋体１１内へ封入する。この窒素ガスの封入により、内容物１４の周囲及び内容物間の空気は、この窒素ガスによって追い出されて、袋体１１の開口部１３から外へ放出される。従って、この窒素ガスの封入により、袋体の開口部１３まで窒素ガスで充満された状態になる。このとき、袋体１１の開口部１３は自然な状態で開いた状態でよい。（図１（ｂ）(1)、（ｃ）(2)(3)参照）。
【００４７】
この窒素ガス封入終了後は、制御部の操作により、ガス充填ノズル２１が上方へ移動され、袋体１１から抜けて行く。（図２（ｄ）(4)(5)参照）。
このとき、袋体１１の開口部が大型であったり、あるいはノズル引上げの間に袋体内に充填したガスが袋体の外へ出て行ってしまうのを防止するために、ガス充填ノズル２１の引上げの際に仮止めを行うようにしても良い。この仮止めは、例えば手動で袋体１１の開口部１３の両端部を外側へ引っ張ることにより外気が浸入しないようにするような簡単なものでよく、外気が入らず、以って袋体１１内のガスが袋体の外へ出ないようにするために行う。上記のような手動による仮止め以外にも、例えば柔軟なゴム材による仮止めや、弱い接着剤を使用した仮止め等でもよく、上記の条件を満たすものであればどのようなものでも良い。
【００４８】
ガス充填ノズル２１が抜かれた後に、袋体１１を素早く、例えば１秒以内にシール機５０へ移動させ、袋口１３付近を内容物が放出されないよう内容物１４の上方から袋体１１を絞るようにして袋口１３付近の空気を追い出し、袋口１３を封止する。（図２（ｅ）(6)、（ｆ）(7)、（ｇ）(8)参照）。
【００４９】
このガス充填包装法によると、長尺なノズル２１を袋体１１に詰め込まれた被包装物内へ差し込み、袋体１１の底部１２ａ付近まで挿入して、袋詰めされた内容物の底部からガスを封入し、内容物の周囲及び内容物間の空気を窒素ガスによって追い出して、袋体１１の開口部１３から外へ放出するので、袋体内の残存酸素濃度を極めて小さく、例えば１％以下にすることができる。
【００５０】
この第１のガス充填包装法では、ガス充填ノズルを１本使用した例を説明したが、複数本のガス充填ノズルを用いてもよい。この場合、ガス充填ノズルは、例えば袋体の両サイドに計２本挿入したり、底部が四角形状のものであれば、底部の四隅に計４本挿入したりして使用する。このように複数本のガス充填ノズルを使用することにより、ガスの充填スピードが上がり、作業効率を向上させることができると共に、袋体の隅部の空気の追い出しがスムーズに行われるようになるため、より置換効率が向上する。
【００５１】
さらに、このガス充填包装法によれば、従来技術と比較すると以下に示す通りの種々の利点がある。
１．理想的なガス循環経路の形成
袋体の片サイドの底部附近から噴射された窒素ガスは、袋体の上部開口に向かって移動する。その際に、袋体の内部に存在する空気は、このガスの噴射にともなって、袋体開口へ向かって上へ上へと押し上げられ、まんべんなく、理想の循環流が形成される。すなわち、窒素ガスは、袋体のサイド、底部、更には内容物と内容物の狭い隙間空間等を循環し、彷徨いながら袋体の開口部へ向かって、結果的に、一番効率の良い流路が窒素ガス自身によって自然に形成されて、開口部から外へ放出されることになる。
【００５２】
２．ガス消費量の低減
従来技術のガスフラッシュ法（内容物の上部で噴射する方法で、条件によってはかなり低い残存酸素濃度が得られるが、設備が大掛かりで高価である。）に比べて、袋体の外部へ放出される窒素ガスも減少している。すなわち、従来技術では、袋体の上方部は窒素ガスで置換ができても、袋の底部までは窒素置換することは難しく、それらを補うために、充填圧力を上げたとしても、その流体の流線はショートサーキット現象（袋の上部の内容物に跳ね返ってしまう現象）を起こし、必要量以上のガスが消費されている。また、窒素置換率にも大きなバラツキもある。
【００５３】
３．内容物飛散の防止
袋体の底部附近から所定の圧力で窒素ガスを充填すると、当然、質量が軽い内容物はもとより、その他の内容物もその一部が袋体内から吹き飛ばされて外部へ飛散してしまうことがある。
この飛散は、充填ノズルの角度を所定の角度にすることにより解消できる。すなわち、袋体の上部開口が開放している状態では、底部附近に存在する内容物に対して一番重さが掛けられる角度は垂直方向であることから、袋体の底部附近から、窒素ガスを噴射させると、袋体の底部周辺の内容物に圧力がかかったとしても、上部方面からの内容物の重さにより吹き飛ばされることがなくなる。換言すれば、袋体の内部で内容物が暴れにくいということでもある。すなわち、内容物が圧力で暴れて浮き上がったとしても、袋体の上部までの高さが、塀の作用をなして飛散をブロックすることになる。仮に、充填ノズルが水平位置に据え付けられると、充填ノズルに袋体をセットしようとした途端、もはや、内容物が袋体からこぼれ出たり、充填工程では、その圧力で暴れて水平方向へ吹き飛んでしまったりして作業性が悪くなり、窒素ガスの置換率にもバラツキが発生してしまう恐れがあるが、充填ノズルを垂下した方向に向けて取り付けることにより、上記の不都合を解消できる。
【００５４】
４．真空引きが不要
袋体内の空気は袋体の上部が開放状態（シール面）であることを利用し、ここから、その内部に存在する空気は底部からの窒素の圧力により、自然に排出されることとなる。
反面、これまでのノズル式ガス充填包装法では、ガスを噴射するノズルを（約５０ｍｍ）袋体に差し込み、スポンジ状のものを袋口の部分だけ押さえて脱気し、袋内が密着した状態で弁の操作により窒素ガスを充填しノズルを抜いた瞬間に熱シールされている。
これに対して、上記のガス充填包装法では、袋体の上部がすべて開放した状態で袋の底部附近からガスを噴射させているので、このガス圧力で、空気を袋体の底部から袋の上部開口部へ追い出してしまう。したがって、従来技術のように、空気を抜いてから、ガスを充填する方法の真空という工程を省くことができるので、価格が高価な真空ポンプ、真空用ノズルその他部品などは不要となる。
【００５５】
上記第１のガス充填包装法は、特に粒径が小さい内容物を包装する際に効果的である。それは、粒径が小さな内容物をガス置換する際は、包装体の底部でガス噴射を行い、所定時間たった後ガス噴射を止め、ノズルを引上げる際において、一度ガス充填により袋体内に供給されたガスが包装体の外部へ出ていくのを内容物自体がバリア効果となって妨げ、つまり、粒径が小さいために、内容物同士の間にできる隙間が非常に小さく、そのため、ガスをその隙間で保持するような現象が発生するため、ガスの供給をストップした後でも充填したガスが包装体の外に出にくく、ノズルを引上げる間も、高いガス置換の状態がある程度維持されるようになっている。
【００５６】
このような場合においては、ノズル引上げの際にも充填したガスの包装体外への流出を心配する必要がないため、上記第１のガス充填包装法でも高い置換効率を達成することができるが、内容物の粒径が比較的大きく、よって、内容物間に生じる隙間も大きな場合は、ノズル引上げの間に充填したガスが包装体の外部へ出てしまい、高い置換効率を得ることができないという問題があった。
【００５７】
そこで、この不都合を解決するために、この第２のガス充填包装法は、ガス充填ノズルを袋体から引き抜く際にも、窒素ガスの供給を停止することなく、供給しながら、充填ノズルを袋体の底部から引き上げるようにすることによって、上記問題点を解決したものである。
【００５８】
このガス充填包装法を上記のガス充填包装法の説明で用いた図１を使用し、図９、１０を参照して説明する。図９は本発明の他の実施形態のガス充填包装法の工程（その２）を示した説明図であり、図１０はガス充填ノズルの引上げと窒素ガス噴射との関係を示したタイミングチャートである。
【００５９】
図１０に記載のタイミングによりガス充填を行うと、先ず、袋体１１内に粒径が比較的大きい被包装物１４、例えばビスケット、カリントウ等の菓子類を開口部１３から所定量挿入する。（図１（ａ）参照）。
次いで、被包装物１４が詰まった袋体１１を長尺なガス充填ノズル２１の下方へ移動し、袋体１１の開口部にガス充填ノズル２１を挿入し、窒素ガスを所定の圧力で所定時間袋体１１内へ噴射させる。
この窒素ガスの噴射により、内容物１４の周囲及び内容物間の空気は、この窒素ガスによって追い出される。このとき、袋体１１の開口部１３は自然な状態で開いた状態になっている。（図１（ｂ）、（ｃ）参照）。
【００６０】
この窒素ガスを所定時間噴射したのちに、制御部の操作により、ガス充填ノズル２１の袋体１１からの引き抜きを開始する。（図９（ｄ’）参照）。この引き抜き時もガス充填ノズル２１からは窒素ガスが噴射されている。そして、このガス充填ノズル２１の引上げ前、引上げと同時、あるいは引上げの途中に、袋体開口部１３を簡単な方法で一時的に封止する、いわゆる仮止めを行う。この仮止め１５は、例えば手動で袋体１１の開口部１３の両端部を外側へ引っ張ることにより外気が浸入しないようにするような簡単なものでよく、外気が入らず、しかも袋体１１が膨張しない程度にガスを逃がす隙間ができるようにすると良い。上記のような手動による仮止め以外にも、例えば柔軟なゴム材による仮止めや、弱い接着剤を使用した仮止め等でもよく、上記の条件を満たすものであればどのようなものでも良い。ちなみに図１０においては、仮止めのタイミングはノズル引上げと同時の場合について示している。
【００６１】
上記仮止めのタイミングはガス充填ノズル２１の引上げ前、引上げと同時、あるいは引上げの途中のいずれかに行うが、この仮止めを行う際は、袋体開口部１３から、充填した不活性ガスがオーバーフローした状態で仮止めを行うようにすることが好ましい。つまり、袋体１１内に、まだ不活性ガスが十分に充填されておらず、まだ酸素が残っている状態で仮止めを行ってしまうと、仮止めが袋体１１内の酸素の袋体１１内からの追い出しを阻害し、以って袋体内に酸素が多く残ってしまう場合があり、ガス置換が良好に行われないことがあるため、仮止めを行うタイミングはガス充填が十分に行われた段階で行うようにすることが望ましく、また、不活性ガスがオーバーフローした直後に仮止めを行うようになせば不活性ガスの使用量も削減できる。
【００６２】
その後、袋体１１からガス充填ノズル２１を抜いたのちに、袋体１１を素早く、例えば１秒以内にシール機５０へ移動させ、袋口１３付近を内容物が放出されないよう内容物１４の上方から袋体１１を絞りながら袋口１３付近の空気及び一部窒素ガスを袋体１１外へ放出して、袋口１３を熱シールする。（図９（ｅ’）、（ｆ’）、（ｇ’））。
【００６３】
このガス充填包装法によると、ガス噴射ノズルが袋体の底部から開口部へ引き上げられ、開口部から引き抜かれるまで、連続して窒素ガスが噴射されるので、粒径が大きく、そのため内容物間の隙間が大きくなっている内容物を包装する際も、効率よく酸素を追い出し窒素ガスに置換することができるので、袋体内の残存酸素濃度を極めて小さく、例えば１％以下にすることができる。
【００６４】
図３は、上記のガス充填包装法に使用されるガス充填機の一例を示す外観斜視図である。
図３を参照して、ガス充填機２０は、エアシリンダ２２と、このシリンダ２２内の移動体２３に固定されたガス充填ノズル２１と、移動体２３及びノズル２１から噴射されるガス量を制御する操作盤３８と、これらを固定支持するスタンド３０で構成される。
エアシリンダ２２はロッドレスシリンダであり、このシリンダは支持板３３に取付金具によって固定されている。シリンダ２２内には、移動体２３が設けられ、シリンダ両端から空気が送入あるいは排気することによって、移動体２３が復動運動する。
また、移動体２３には、充填用ガス用電磁弁４４、ガス充填ノズル２１が着脱自在に固定されている。なお、移動体２３に、複数本のガス充填ノズル２１を固定できるようにしてもよい。
このガス充填ノズル２１を移動体２３に着脱自在に固定することにより、包装袋の大きさに応じて、最適な長さのガス充填ノズルに変更することができる。
ガス充填ノズル長さは、包装袋のサイズによって最適なものが選択されるが、通常、２００ｍｍ、３００ｍｍ、５００ｍｍ等を用意して置く。また、先端形状は、外径５ｍｍφのパイプで形成し、先端部から１０ｍｍの範囲は外径を４ｍｍφから１ｍｍφに細く絞ることが好ましい。このようにすることにより、袋体への挿入が容易になる。
このガス充填機は、可動体に固定することなく単独でも使用することができる。この場合、ノズルの交換は、ガス供給管等に既に公知の結合手段を用いて着脱自在に結合する。
【００６５】
スタンド３０は、作業台等に載置する基台３１と、この基台３１から立設された所定長さの支柱３２からなる。基台３１は、作業台等に安定して載置できるように底部が外方へ広がった基盤からなり、支柱は、板体或いはポールからなり、ポールを使用した場合は、２本を平行に配設したものが用いられる。
支柱３２には、ガス充填ノズル２１へガスを供給するガス充填用の部品３５、移動体を動かすシリンダへエアを供給するエア供給用部品３４、及び操作盤３８がフレーム３６、３９を介して取り付けられている。これらのフレーム３６、３９は、支柱３２に移動可能に取り付けられ、その移動はネジ体３７、４０によって行なわれる。ガス充填用部品３５は、充填ガス入口レギュレータと充填ガス入口レギュレータ圧力計であり、これにより充填するガス量が調節される。また、エア供給用部品３４は、エアフィルタ入力レギュレータ、エアフィルタレギュレータ圧力計であって、これにより、エア供給量が調整される。
また、操作盤３８には、電気的制御を行う部品が装着されており、電源スイッチ、充填タイマー４１等が設けられている。
【００６６】
また、この操作盤３８には、ガス充填装置スタート用フットスイッチ４３が接続されており、このスイッチを足で踏むことにより、タイマー４１が作動し、ガスが噴射されるようになっている。
なお、充填用の部品、エア供給用部品、操作盤は、支柱に取り付けられているが、他の場所、例えばシリンダ装着部材に纏めて取り付けてもよい。勿論、その他の箇所でもよい。
【００６７】
図４は、エアシリンダへの配管を示した配管図である。
エアシリンダ２２へのガス配管は、窒素ガスボンベ２４から導出された配管２９ａを通り減圧弁２４ａと充填ガス用レギュレータ２４ｂを介して充填用ガス用電磁弁４４に配管されている。この電磁弁４４は、移動体２３に設けられている。充填ガス用レギュレータ２４ｂの出口配管と電磁弁４４との間は、移動体２３が動くので、可撓性のある配管２５ｂが使用されている。
また、エアシリンダ２２へのエア配管は、コンプレッサ２６から導出された配管２７ａがエアフィルタ付きレギュレータ２８を介して５方弁２９に接続され、この５方弁２９から２つに分かれ、一方の管体２７ｂはスピードコントローラー管継ぎ手を介してエアシリンダ２２の上端２２ａに連結され、他方の管体２７ｃは同様にスピードコントローラー管継ぎ手を介してエアシリンダ２２の下端２２ｂへ連結されている。
【００６８】
図５はガス充填機の動作手順を分かりやすく説明した図であり、同図（ａ）はガス充填機の制御回路図であり、同図（ｂ）はそのタイミングチャートである。
ガス充填機２０は、電源（ＳＳＷ）オフ状態で移動体２３が上部に位置している。
（１）電源（ＳＳＷ）を入れると、先ず５方弁２９がＯＮ状態であるのでシリンダ２２の移動体２３は下方へ移動し、待機状態となる。
（２）フットスイッチ４３を押すと充填タイマー（ＴＲ１）とリレー１（ＣＲ１）が作動し、窒素ガスが充填用電磁弁４４を介してガス充填ノズル２１から吹き出され、適宜設定した充填タイマー（ＴＲ１）タイムアップで充填用電磁弁４４が停止し、窒素ガスの噴出も停止する。
（３）充填タイマー（ＴＲ１）がタイムアップすると、リレー２（ＣＲ２）が作動し、それによってＣＲ２−２が切断され、以って５方弁２９のエア進入方向が切り替わり、移動体２３が上方へ移動する。
（４）エアシリンダ後部に設置されている戻りリミットスイッチ１が移動体２３の上部への移動に伴い入力されると、タイマー（ＴＲ２）が作動し、このタイマー（ＴＲ２）がタイムアップするとＴＲ１，ＴＲ２，ＣＲ１，ＣＲ２が停止する。
（５）戻りリミットスイッチ２が入力されるとカウンターが作動し、５方弁２９が再びＯＮ状態になるため移動体２３は下方へ移動し、戻りリミットスイッチがＯＦＦとなり、待機状態となる。
なお、この説明は、上記第１のガス充填包装法の手順であるが、第２のガス充填包装法の手順は、この第１のガス充填包装法の手順から容易に理解し得ることなので、その説明を省略する。
【００６９】
図６は、ガス充填包装装置の概要を示す概略図である。
このガス充填包装装置６０は、ガス充填機とシール機とから構成される。シール機には公知のシール機５０が使用され、ガス充填機には、上述のガス充填機２０が使用され、そのガス充填ノズル２１にはガス配管２９ａを介して窒素ガスボンベ２４が連結される。このガス充填機２０及びシール機５０は、取付金具６１により連結され、ガス充填からシールまでを一貫して行えるガス充填包装装置を構成している。
【００７０】
図７は、ヒートシール機の外観斜視図である。
ヒートシール機５０は、ヒータを内蔵した上下熱板５５ａ、５５ｂと、表面に設けたスイッチ用タッチ板５４と、上熱板５５ａが降下する圧着タイマー５１、温度調節器５３及び電源５２とから構成されている。
その使用方法は、電源５２をＯＮにし温度調節器５３により所定の温度、例えば１４０℃に設定する。一方、袋体の種類に応じて圧着タイマー５１の設定時間、例えば通常１〜２秒に設定する。
袋体の封止するフィルム面を上にして下部熱板に添えて、タッチ板５４を押す。これにより、上部熱板５５ａが下降し、圧着シールが行われる。
ただし、ここではシール機５０をヒートシール機としたが、シール機５０には、バッグシーラー、バンドシーラー（エンドレスシーラー）、足踏みシーラー等のヒートシーラ或いはインパルスシーラー等を適宜使用することができる。
【００７１】
図８はガス充填機の取付金具を示し、同図（ａ）は正面図、同図（ｂ）は側面図である。
取付金具６１は、ほぼＬ字状をなし金属材、樹脂材等で形成される。この金具は、Ｌ字状の長辺部にガス充填機２０が固定され、短辺部にガス供給用部品３５、エア供給用部品３４及び５方弁２９が固定されている。シール機５０へ装着は、取付穴６２ａ、６２ｂを利用して行われる。また、ガス充填機２０の角度を変更できるように取付金具６１の上方には、ガス充填機２０を支持している支点６４と、この支点６４を中心にして、ガス充填機２０が回動可能となすようなガイド６３が設けられている。
【００７２】
次に、上記のガス充填包装装置６０を用い、被包装物と袋体への包装を説明する。
（使用例１）
この使用例は、被包装物に乾燥したピーナッツを以下のガス充填包装装置を用いてガス充填包装したものである。
ガス充填装置の充填ノズルには、ノズル直径５ｍｍ、長さ３００ｍｍのものを使用した。電磁弁オリフィスの直径は、４．５ｍｍの用いた。ガスボンベには、圧縮された窒素ガスが封入されている。包装袋には、ガスバリヤー性プラスチックフィルムからなる包装袋を用い、その形状は、４方平袋でサイズは、幅１６０ｍｍ、長さ２６０ｍｍのプラスチックフィルムを使用した。ピーナッツは、３００ｇを用いた。
シール機には、使用電圧１００Ｖ・５０／６０Ｈｚ、消費電力８５０Ｗ（最大）、シールの寸法Ｌ４００・４ｍｍ巾・２本線、のヒートシーラを使用した。
【００７３】
（作業手順）
図１〜８を参照して、先ず、ピーナッツを投入した包装袋を充填ノズルの下方へ移動し、ガス充填ノズル２１の先端部２１ａを袋口開口の片サイドに沿って挿入しながら、その先端部２１ａが底部から１〜２ｃｍ程離れた位置まで包装袋を持ち上げてノズルの位置決めを行った。
このノズルの位置決め（挿入）が完了した後、フットスイッチ４３のペダルを踏み込み、窒素ガスを包装袋内へ噴射した。このとき、袋体の開口部は自然な状態で開いている。また、フットスイッチ４３により、充填ガス入口レギュレータ２４ｂと充填タイマーが作動し、設定された圧力、時間で窒素ガスが噴射される。
設定した時間が経過すると、窒素ガスの封入が終了して、ガス充填ノズル２１と一体の移動体２３を有するロッドレスシリンダ２２が作動し、ノズルは上方へ移動し包装袋から抜ける。運転実行終了後、１秒以内に包装袋を移動しシール機で袋口をヒートシールした。
【００７４】
そこで窒素ガス圧を０．１Ｍｐａ、ガス充填時間１〜５ｓｅｃに設定し、幾つかの実験を行った結果を表２に示す。この表の待機圧力は、作動した瞬間の噴出圧を示し、作動圧力はユーザが設定する圧力値のことで、一定でガス噴出をしている時の圧力である。実験結果の単位は（％）である。
【００７５】
【表２】
2005001765.tif 000004
【００７６】
この結果、窒素ガス圧力０．１Ｍｐａ、ガス充填時間１ｓｅｃにおいて、平均残存酸素濃度は、１．５７％となった。また、ガス充填時間が３ｓｅｃでは、０．７７％、更に充填時間５ｓｅｃでは、０．５０％となった。表中の評価欄は、３段階で評価を行っており、“×”は残存酸素濃度２％以上でガス充填が良好に行われていないもの、“△”は残存酸素濃度１〜２％で比較的優れたガス充填が行われているもの、“○”は残存酸素濃度１％以下で理想的なガス充填が行われているものを表している。
この結果から、ガス充填時間３ｓｅｃ以上で残存酸素濃度１％以下の理想的な値が得られることが分かった。
【００７７】
（実験例１）
使用例１の結果から、ガス充填時間３ｓｅｃ以上でガス充填を十分に行えると考え、ガス充填時間３ｓｅｃでのガス充填圧力０．０５〜０．３Ｍｐａでの残存酸素濃度を各々測定した。結果を表３に示す。
【００７８】
【表３】
2005001765.tif 000005
【００７９】
（実験例２）
実験例１の被包装物を乾燥したピーナッツからお茶の葉に変更した部分だけが異なり、他の条件は全く同様である。その結果を表４に示す。
【００８０】
【表４】
2005001765.tif 000006
【００８１】
表３の結果には圧力０.０５Ｍｐａ〜０.１Ｍｐａしか載せていないが、圧力０.１Ｍｐａで平均残存酸素濃度０.４０％が達成されており、ピーナッツをガス充填したときより小さな圧力でも十分な置換が行われているため、０.１Ｍｐａより大きな圧力では実施しなかった。
【００８２】
（比較例１）
表５は、市販のガス充填包装装置（商品名：フレッシュバックパックシーラー、この装置は、包装体内を真空状態にした後窒素を充填するもの）を用い、使用例１と同じ条件、すなわち被包装物、包装袋、作動圧力（待機圧力）を同じにして、脱気を２ｓｅｃ行い、且つガス充填時間を０.５ｓｅｃとして得たデータである。
【００８３】
【表５】
2005001765.tif 000007
【００８４】
そこで、この比較例１のデータと使用例１のデータとを比較すると、表６の通りとなる。その結果、従来のガス充填包装装置に比べ、使用例１では残存酸素濃度が格段に低く、安定したガス充填を行うことができる上、包装装置にかかる費用や設備においても従来品より安価で、簡単に利用できるという利点を持っている。加えて、使用例１の方法では、包装工程で真空状態にしていないために包装袋が潰れるこのがないので包装品の美観を損なうこともなく、包装袋に印刷が施される場合などにおいてもきれいに表示することができる。
【００８５】
【表６】
2005001765.tif 000008
【図面の簡単な説明】
【００８６】
【図１】本発明の一実施形態のガス充填包装法の工程（その１）を示した説明図、
【図２】本発明の一実施形態のガス充填包装法の工程（その２）を示した説明図、
【図３】本発明のガス充填包装法に使用されるガス充填機の一例を示す外観斜視図、
【図４】ロッドレスエアシリンダの配管を示した説明図、
【図５】ガス充填機の動作手順を説明した図であり、同図（ａ）はガス充填機の制御回路図、同図（ｂ）は該ガス充填機のタイミングチャート、
【図６】本発明のガス充填包装装置の概要を示す平面図、
【図７】ヒートシール機の外観斜視図、
【図８】ガス充填機の取付金具を示し、同図（ａ）は正面図、同図（ｂ）は側面図、
【図９】本発明の他の実施形態のガス充填包装法の工程（その２）を示した説明図、
【図１０】ガス充填ノズルの引上げと窒素ガス噴射との関係を示したタイミングチャート、である。
【符号の説明】
【００８７】
１０        包装袋
１１        袋体
１２ａ      袋体底部
１３        袋体開口部
１５        仮止め
２０        ガス充填機
２１        ガス充填ノズル
２１ａ      ガス充填ノズルの先端部
２２        シリンダ
２３        移動体
３０        スタンド
３３        シリンダ支持板
３４        エア供給用部品
３５        ガス充填用部品
３８        操作盤
４１        充填タイマー
４３        フットスイッチ
４４        電磁弁
５０        シール機
６０        ガス充填包装装置
６１        取付金具
【図１】
2005001765.tif 000009
【図２】
2005001765.tif 000010
【図３】
2005001765.tif 000011
【図４】
2005001765.tif 000012
【図５】
2005001765.tif 000013
【図６】
2005001765.tif 000014
【図７】
2005001765.tif 000015
【図８】
2005001765.tif 000016
【図９】
2005001765.tif 000017
【図１０】
2005001765.tif 000018
【手続補正書】
【提出日】平成16年8月10日(2004.8.10)
【手続補正１】
【補正対象書類名】明細書
【補正対象項目名】００１８
【補正方法】変更
【補正の内容】
【００１８】
上記目的は、以下の手段によって達成できる。すなわち、本発明の請求項１に係るガス充填包装法は、以下の工程からなる。
（１）底部及び両側部が封止され、かつ上部が開口した袋体へ被包装物を袋詰めする工程、
（２）前記袋体の底部付近までガス充填用ノズルの先端部を挿入する工程、
（３）前記ガス充填用ノズルから所定量の不活性ガスを前記袋体内へ噴射する工程、
（４）前記袋体から前記ガス充填用ノズルを引抜き前記袋体の開口部を封止する工程。
【手続補正２】
【補正対象書類名】明細書
【補正対象項目名】００２２
【補正方法】変更
【補正の内容】
【００２２】
本発明の請求項５に係るガス充填機は、ガス供給管に連結され所定径の管体からなるガス充填ノズルと、前記ガス充填ノズルから噴射されるガス量を調整する制御部を備えたガス充填機において、前記ガス充填ノズルは、底部及び両側部が封止され上部が開口した袋体の底部付近へ届く長さを有していることを特徴とする。
【手続補正３】
【補正対象書類名】図面
【補正対象項目名】図７
【補正方法】変更
【補正の内容】
【図７】
2005001765.tif 000019